【手続補正書】
【提出日】平成30年8月13日(2018.8.13)
【手続補正１】
【補正対象書類名】特許請求の範囲
【補正対象項目名】全文
【補正方法】変更
【補正の内容】
【特許請求の範囲】
【請求項１】
ローカル装置内に配置された１つ以上のプロセッサによって実行される場合に、前記プロセッサに方法を実施させるプロセッサ実行可能命令を備える１つ以上のコンピュータ可読メモリであって、
前記方法は、
ローカル装置及びリモート装置間でアクティブ通話中にコンテンツのリアルタイム共有を開始するためのユーザインターフェース（ＵＩ）を前記ローカル装置上に表出させることと、
前記ローカル装置上でインスタンス化されたデジタルアシスタントにおいて入力を受信することと、
前記デジタルアシスタントにおいて、前記アクティブ通話中に前記入力を解析して、共有可能なコンテンツの集合の中から前記入力において参照されたコンテンツの選択を識別することと、前記共有可能なコンテンツの集合は、前記ローカル装置にローカルに利用可能であるか、又はリモートソースから前記ローカル装置に利用可能であることと、
前記構文解析された入力に基づいて共有のためのコンテンツの前記選択を受信することと、
前記ローカル装置上の前記ＵＩの一部を、共有のために選択されたが前記リモート装置とまだ共有されていないプレステージングされたコンテンツでポピュレートすることと、
前記リモート装置が前記プレステージングされたコンテンツを表示することを防止しながら、前記ＵＩの一部内で、プレステージングされたコンテンツの提示の準備を可能にすることと、
前記プレステージングされたコンテンツをアクティブな共有ウィンドウに移動させるための命令を受け取ることと、
前記リモート装置とともに前記プレステージングされたコンテンツ内のコンテンツアイテムの提示のペーシングを制御するようにローカル装置を有効化しながら、現在共有されているコンテンツを表示する前記アクティブな共有ウィンドウに、前記プレステージングされたコンテンツを移動させることと、
アクティブ共有ウィンドウ内の現在共有されているコンテンツの一部をハイライトするために、前記ローカル装置上にハイライトツールを提供することと、
を含む、１つ以上のコンピュータ可読メモリ。
【請求項２】
前記リアルタイム共有が開始される場合に、前記ローカル装置上のスピーカーフォン機能を前記プロセッサにアクティベートさせるための命令を更に含む、請求項１に記載の１つ以上のコンピュータ可読メモリ。
【請求項３】
前記プロセッサに、前記ローカル装置上の通話アプリケーションによって表出されたＵＩの一部として、前記リアルタイム共有を開始するための前記ＵＩを表出させるための命令を更に含み、
前記通話アプリケーションが、音声通話アプリケーション又はビデオ通話アプリケーションのうちの１つである、請求項１に記載の１つ以上のコンピュータ可読メモリ。
【請求項４】
前記プロセッサに、ズーム及びパンを含む、前記共有コンテンツアイテムの提示を制御するためのツールを前記プロセッサに提供させるための命令を更に含む、請求項１に記載の１つ以上のコンピュータ可読メモリ。
【請求項５】
前記プロセッサに、
前記プレステージングされたコンテンツを含む前記ＵＩの一部を、スクロール可能なフィルムストリップになるように構成させ、および
前記アクティブ共有ウィンドウが前記スクロール可能なフィルムストリップからドラッグアンドドロップ操作により前記プレステージングされたコンテンツの前記コンテンツアイテムを受け取るように構成させる
ための命令を更に含む、請求項１に記載の１つ以上のコンピュータ可読メモリ。
【請求項６】
前記プロセッサに、
前記アクティブ共有ウィンドウを再位置決めし、又はサイズ変更させるための命令を更に含む、請求項５に記載の１つ以上のコンピュータ可読メモリ。
【請求項７】
前記プロセッサに、
現在共有されているコンテンツのインスタンスがビデオコンテンツである場合に、テレストレーションツール又はビデオトランスポート制御部のうちの１つを提供させるための命令を更に含む、請求項１に記載の１つ以上のコンピュータ可読メモリ。
【請求項８】
前記共有可能コンテンツが、ライブで取得したコンテンツ又は前に取得したコンテンツのうちの１つである、請求項１に記載の１つ以上のコンピュータ可読メモリ。
【請求項９】
前記ツールが、線、グラフィック図形、グラフィックオブジェクト、テキスト、カラー、透明性、シェーディング、又はアニメーションのうちの１つ以上を使用して強調表示を可能にする、請求項１に記載の１つ以上のコンピュータ可読メモリ。
【請求項１０】
１つ以上のプロセッサと；
ローカル装置と対話するためのユーザインタフェース(ＵＩ)をサポートするディスプレイと；
前記１つ以上のプロセッサによって実行されると、前記プロセッサに方法を実行させるメモリと
を備えるシステムであって、
前記方法は、
まだ共有されていない共有のために選択されたコンテンツの提示の準備するように、および共有可能なコンテンツの集合から、前記まだ共有されていない共有のために選択されたコンテンツを分離するように、Ｉの一部を構成することと、
リモート装置との共有のためにアクティブ共有ウィンドウ内に配置されていない共有のために選択されたがまだ共有されていないコンテンツについてプライバシーが維持されるように、共有するために選択されたコンテンツの提示の準備のために構成された前記ＵＩの部分から、前記ＵＩ上のアクティブ共有ウィンドウを分離することと、
前記アクティブ共有ウィンドウに共有するために選択されたコンテンツのサブセットを追加することと、前記アクティブ共有ウィンドウからコンテンツを削除することとによって、前記アクティブ共有ウィンドウメンバシップを制御する命令を受け取ることと、
前記ローカル装置が、前記アクティブ共有ウィンドウからのコンテンツ共有のペーシングを制御するように、ネットワークを介してリモート装置との間で前記アクティブ共有ウィンドウからのコンテンツを共有することと、
ローカル装置およびリモート装置上に表示されるコンテンツの提示を一時的に制御するための許可をリモート装置が提供されるように、前記ローカル装置から前記リモート装置に一時的な制御を提供することと、を含むシステム。
【請求項１１】
前記メモリは、前記プロセッサに、自然言語、音声コマンド、ジェスチャ、あるいはタッチスクリーン又は物理的もしくは仮想制御の操作を使用して、前記ＵＩとの対話を受け取らせるための命令を更に含む、請求項１０に記載のシステム。
【請求項１２】
前記メモリは、前記プロセッサに、音声通話アプリケーション又はビデオ通話アプリケーションからＵＩを呼び出させる命令を更に含む、請求項１０に記載のシステム。
【請求項１３】
前記メモリは、前記プロセッサに、ハイライトを制御するためのツールを提供させる命令を更に含み、前記ツールは描画、コメント作成、ズーム、パン、カラーリング、シェーディング、テレストレーション、又はアニメーションのうちの１つ以上を容易にする、請求項１０に記載のシステム。
【請求項１４】
前記メモリは、前記プロセッサに、前記ローカル装置の制御の下で、前記共有コンテンツ中のコンテンツアイテムを一時に１つ示すように、前記アクティブ共有ウィンドウを構成させるための命令を更に含む、請求項１０に記載のシステム。
【請求項１５】
少なくともグラフィックアプリケーションのためのツール、又はテキスト注釈のためのツールを含むハイライトツールを提供することを更に含む、請求項１に記載の１つ以上のコンピュータ可読メモリ。
【請求項１６】
共有可能コンテンツのコレクションのうちから、共有のために選択されたコンテンツを受け取ることであって、共有可能コンテンツのコレクションは、ローカル装置にローカルに利用可能であるか、又はリモートソースから前記ローカル装置に利用可能であることと、
ユーザインターフェース（ＵＩ）の一部がリモート装置とまだ共有されていない選択されたコンテンツの提示を生成することを可能にするように、前記ローカル装置上のＵＩの一部を、前記リモート装置とまだ共有されていない選択されたコンテンツでポピュレートすることであって、前記選択されたコンテンツは、前記共有可能コンテンツのコレクションから分離され、前記選択されたコンテンツはまた、アクティブ共有ウィンドウを介して前記リモート装置と現在共有されているコンテンツからも分離されることと、
ユーザから前記アクティブ共有ウィンドウに前記ＵＩの一部からの選択されたコンテンツのコンテンツアイテムを移動させる命令を受け取ることと、
前記ＵＩの一部から前記アクティブ共有ウィンドウに移動された前記コンテンツアイテムを、前記アクティブ共有ウィンドウ内に表示させることと、
前記リモート装置に送信される共有コンテンツの一部をハイライトするために、前記ローカル装置上にハイライトツールを提供することと、
コンテンツの提示を一時的に制御するための許可をリモート装置が提供されるように、前記ローカル装置から前記リモート装置に一時的な制御を提供することと
を含む、プロセッサ実行可能方法。
【請求項１７】
前記共有コンテンツについての情報を提供するクロージングクレジットをＵＩ上に表示することを更に含む、請求項１に記載の１つ以上のコンピュータ可読メモリ。
【請求項１８】
ソフトウェアとして構成されるリアルタイム共有コンポーネントがリアルタイム共有に参加している前記ローカル装置又は前記リモート装置の１つ又は両方上にローカルにインストールされているときを更に含む、請求項１に記載の１つ以上のコンピュータ可読メモリ。